(57)【要約】    【課題】  本部教会から遠く離れた地に居る人であっても、礼拝・授業に気軽に参加することができ、従来のような本部教会との往復に要する時間的、費用的及び肉体的負担を解消することができる通信システムを提供することにある。    【解決手段】  第１情報処理装置（配信サーバ１２）と第２情報処理装置（メディア通信機３１又はメディア通信機１１）との間で映像・音声データをやりとりする通信システムであって、第１情報処理装置（配信サーバ１２）は、ＭＰＥＧ方式で圧縮されたフレームの一部を間引いて送信しないようにすることにより、第１情報処理装置（配信サーバ１２）と第２情報処理装置（メディア通信機３１又はメディア通信機１１）間の通信トラフィックを減少させることを特徴とする。【選択図】          図１
2005269302.tif 000002
【特許請求の範囲】
【請求項１】
第１情報処理装置と第２情報処理装置とが通信ネットワークを介して接続され、前記第１情報処理装置に蓄積された映像・音声データを前記第２情報処理装置に転送する通信システムであって、
前記第１情報処理装置は、所定の動画・音声圧縮方式で圧縮されたフレームの差分データのデータ量が所定の閾値を下回るとき、当該フレームを前記第２情報処理装置に送信しないことを特徴とする通信システム。
【請求項２】
前記第２情報処理装置は、前記第１情報処理装置の間引き手順に基づき、自己の受信バッファの蓄積データから前記第１情報処理装置によって間引かれた欠落フレームを補間しつつ再生することを特徴とする請求項１記載の通信システム。
【請求項３】
前記第２情報処理装置は、自己の受信バッファの蓄積データのタイムスタンプによって転送データを復元する転送データ復元手段を備え、
前記第１情報処理装置は、前記転送データ復元手段から通信ネットワークを介して指示された復元状況に基づき、前記所定の閾値を適応的に変化させることを特徴とする請求項１又は２記載の通信システム。
【請求項４】
前記第１情報処理装置は、転送すべき音声データを視聴覚画面上の文字データに変換して転送する音声データ変換転送手段を備えることを特徴とする請求項１から３のいずれか記載の通信システム。
【請求項５】
前記音声データ変換転送手段は、転送すべき音声データ又は視聴覚画面上の文字データを他国語に通訳・翻訳して転送することを特徴とする請求項４記載の通信システム。
【請求項６】
前記第２情報処理装置は、前記第１情報処理装置から映像・音声データをストリーミング受信しているときに、自己に蓄積された映像・音声データをストリーミング送信することで、双方向通信を行うことを特徴とする請求項１から５のいずれか記載の通信システム。
【発明の詳細な説明】
【技術分野】
【０００１】
本発明は、第１情報処理装置と第２情報処理装置との映像・音声データ通信に関する通信システムに関し、具体的には、本部教会・神学校（以下、「本部教会等という」）で行われる礼拝・授業へ遠隔地から参加するために用いる礼拝用通信システムや遠隔講義用通信システムに関するものである。
【背景技術】
【０００２】
従来より、教会では、神に祈るための荘厳な礼拝や、神の教えを受けるための授業などが行われている。また、その礼拝・授業が行われている本部教会等から遠く離れた地に居る人は、時間、費用及び労力を費やし、本部教会等まで足を運ぶことによって礼拝・授業に参加している。
【発明の開示】
【発明が解決しようとする課題】
【０００３】
しかしながら、移動時間を含めて礼拝・授業に参加するために十分な時間を確保できない人は、本部教会等へ赴くことを断念せざるを得ない場合がある。
【０００４】
特に、長時間の移動に対して肉体的な負担の大きい高齢者あっては、礼拝・授業への参加希望をもちつつも、なかなかその希望を叶えることができないのが現状である。
【０００５】
また、本部教会等における礼拝・授業が定期的に行われる場合には、遠隔地からの参加者は、金銭的負担の増加に耐え切れず、礼拝・授業の参加を断念せざるを得ない場合がある。
【０００６】
本発明は、以上の点に鑑みてなされたものであり、その目的は、本部教会等から遠く離れた地に居る人であっても、礼拝・授業に気軽に参加することができ、従来のような本部教会等との往復に要する時間的、費用的及び肉体的負担を解消することができる通信システムを提供することにある。
【課題を解決するための手段】
【０００７】
以上のような課題を解決するために、本発明は、第１情報処理装置と第２情報処理装置との間で映像・音声データをやりとりする通信システムであって、第１情報処理装置は、所定の動画・音声圧縮方式で圧縮されたフレームの一部を間引いて送信しないようにすることにより、第１情報処理装置と第２情報処理装置間の通信トラフィックを減少させることを特徴とする。
【０００８】
より具体的には、本発明は、以下のものを提供する。
【０００９】
（１）  第１情報処理装置と第２情報処理装置とが通信ネットワークを介して接続され、前記第１情報処理装置に蓄積された映像・音声データを前記第２情報処理装置に転送する通信システムであって、前記第１情報処理装置は、所定の動画・音声圧縮方式で圧縮されたフレームの差分データのデータ量が所定の閾値を下回るとき、当該フレームを前記第２情報処理装置に送信しないことを特徴とする通信システム。
【００１０】
本発明によれば、例えば、第１の教会（例えば本部教会等）に設置された第１情報処理装置と、第２の教会（例えば支部教会・分校）に設置された第２情報処理装置と、がインターネット等の通信ネットワークを介して接続され、第１情報処理装置に蓄積された礼拝・授業に関する映像・音声データを第２情報処理装置に転送する通信システム（礼拝用通信システム）上で、第１情報処理装置は、所定の動画・音声圧縮方式（例えばＭＰＥＧ方式）で圧縮されたフレームの差分データや２階差分データのデータ量が所定の閾値を下回るときには、そのフレームを第２情報処理装置に送信しないこととしたから、本部教会等から遠く離れた地に居る人であっても、第２情報処理装置が設置された最寄の支部教会まで行けば、礼拝・授業に気軽に参加することができ、ひいては本部教会等との往復に要する時間的、費用的及び肉体的負担を解消することができる。
【００１１】
また、本部教会等の第１情報処理装置側で撮影された映像・音声データ等の連続メディアデータを、フレーム間予測処理や動き補償処理を経て符号化される動画・音声圧縮方式で圧縮して支部教会の第２情報処理装置側に転送しようとした場合、従来の動画・音声圧縮方式（ＭＰＥＧ方式）を用いたライブエンコードシステムによれば、圧縮されたフレーム全てを第２情報処理装置側に転送することから、第２情報処理装置側の待ち時間が非常に長くかかるという弊害があったが、本発明によれば、隣り合うフレーム間で相関が高いとき（フレームの差分データが所定の閾値を下回るとき）にフレーム間引きを行うことから、通信トラフィックを減少させることができ、ひいては支部教会において、遠隔地に居る者が本部教会等とリアルタイムで行われる礼拝・授業に参加することが可能になる。
【００１２】
さらに、本発明によれば、複数の第１情報処理装置、複数の第２情報処理装置を通信ネットワークに設置し、複数箇所で本部教会等の礼拝・授業の配信を行うことができるので、教会を一箇所に設置して参拝者をそこに集める場合と比較して、警備や誘導の管理がしやすくなる。
【００１３】
ここで、「差分データ」には、隣り合うフレームから算出される差分データのみならず、前後数枚のフレームから算出される２階差分データも含まれる。
【００１４】
なお、通信ネットワークには、インターネットなど、世界中のコンピュータを１つに結んで各国間の接続を可能にする国際的なネットワーク（グローバルネットワーク）や、国全体や都道府県単位で形成するようなネットワーク（ＷＡＮ）や、企業や学校の構内で形成するようなネットワーク（ＬＡＮ）などが含まれる。
【００１５】
また、第１情報処理装置又は第２情報処理装置となるコンピュータは、通常サーバやリレーサーバ、パーソナルコンピュータが使用されるが、本発明はこれらに限定する趣旨ではなく、例えばハードディスク等を備えないネットワークコンピュータ、ネットワーク端末と組み合わせて或いはネットワーク端末を組み込んでコンピュータネットワーク上の情報が閲覧できるようにした家電製品（例えば家庭用テレビ）、ネットワーク機能を備えた家庭用ゲーム機などを使用することも可能である。
【００１６】
（２）  前記第２情報処理装置は、前記第１情報処理装置の間引き手順に基づき、自己の受信バッファの蓄積データから前記第１情報処理装置によって間引かれた欠落フレームを補間しつつ再生することを特徴とする（１）記載の通信システム。
【００１７】
本発明によれば、第１情報処理装置の転送プロトコルとしてＴＣＰを用い、第２情報処理装置において、第１情報処理装置の間引き手順に基づき、受信バッファの蓄積データから第１情報処理装置によって間引かれた欠落フレームを補間しながら映像・音声データが再生されることから、本部教会等で行われる礼拝・授業を、支部教会においてリアルタイムでスムーズに再生することができる。
【００１８】
ここで、転送プロトコルとして、ネットワークの輻輳検出機能をもたないＵＤＰではなく、データ転送の確実性を重視したＴＣＰを採用することで、ネットワークが混雑した場合であっても、ネットワーク全体が異常状態に陥る危険性は少ないというメリットがある。
【００１９】
また、第２情報処理装置側の受信フレームの時系列並びにデータの欠落フレームを前後数枚のフレームを利用して１次又は２次補間して再生することによって、第２情報処理装置側における連続転送メディアの再現が可能になる。
【００２０】
（３）  前記第２情報処理装置は、自己の受信バッファの蓄積データのタイムスタンプによって転送データを復元する転送データ復元手段を備え、前記第１情報処理装置は、前記転送データ復元手段から通信ネットワークを介して指示された復元状況に基づき、前記所定の閾値を適応的に変化させることを特徴とする（１）又は（２）記載の通信システム。
【００２１】
本発明によれば、第２情報処理装置は、自己の受信バッファの蓄積データのタイムスタンプによって転送データを復元する転送データ復元手段を備える一方で、第１情報処理装置は、その転送データ復元手段から通信ネットワークを介して指示された復元状況に基づいて、上述した所定の閾値を適応的に変化させることとしたから、第１情報処理装置・第２情報処理装置間においてスムーズなストリーミング再生が可能になる。
【００２２】
すなわち、第１情報処理装置は、メディアデータ時系列並び変化量の監視と間引きの指示により、第２情報処理装置への転送データを適応的に削減させつつデータ転送を行うこととしたから、第１情報処理装置・第２情報処理装置間の通信トラフィックを調整することができ、ひいては支部教会において、遠隔地に居る者が本部教会等とリアルタイムで行われる礼拝・授業に参加することが可能になる。
【００２３】
（４）  前記第１情報処理装置は、転送すべき音声データを視聴覚画面上の文字データに変換して転送する音声データ変換転送手段を備えることを特徴とする（１）から（３）のいずれか記載の通信システム。
【００２４】
本発明によれば、第１情報処理装置は、転送すべき音声データを視聴覚画面上の文字データに変換して転送する音声データ変換転送手段を備えていることから、本部教会等から遠く離れた地に居る聴覚障害者であっても、礼拝・授業に気軽に参加することができる。
【００２５】
なお、音声を文字に変換する過程にキーボード入力等による人為的要素が介在してもよいし、また、プログラムを用いてコンピュータが音声データを認識して自動的に文字データに変換するようにしてもよい。
【００２６】
（５）  前記音声データ変換転送手段は、転送すべき音声データ又は視聴覚画面上の文字データを他国語に通訳・翻訳して転送することを特徴とする（４）記載の通信システム。
【００２７】
本発明によれば、第１情報処理装置に備えられた音声データ変換転送手段は、転送すべき音声データ又は視聴覚画面上の文字データを他国語に通訳・翻訳して転送することができることから、国境を越えて言語の異なる地域に居る人であっても、礼拝・授業に気軽に参加することができる。
【００２８】
なお、音声データを他国語に通訳・翻訳するにあたって、キーボード入力等による人為的要素が介在してもよいし、また、プログラムを用いてコンピュータが音声データ・文字データを認識して自動的に通訳・翻訳するようにしてもよい。
【００２９】
また、他国語に翻訳した音声を表示するのは、人が読み上げて行うこともできるし、プログラムを用いてコンピュータが音声を認識して自動的に読み上げるようにして行うこともできる。
【００３０】
（６）  前記第２情報処理装置は、前記第１情報処理装置から映像・音声データをストリーミング受信しているときに、自己に蓄積された映像・音声データをストリーミング送信することで、双方向通信を行うことを特徴とする（１）から（５）のいずれか記載の通信システム。
【００３１】
本発明によれば、第２情報処理装置は、第１情報処理装置から礼拝・授業・会議に関する映像・音声データをストリーミング受信しているときに、自己に蓄積された映像・音声データをストリーミング送信することから、双方向にデータ転送を行うことができ、ひいては本部教会等と支部教会とで会議・質疑応答を行うといった双方向コミュニケーションを図ることが可能になる。
【００３２】
なお、上述した「第２情報処理装置」は、本部教会等における礼拝・授業の生放送高画質視聴覚情報を、通信ネットワークを介して他の支部教会に同期転送可能なリレーサーバであってもよいし、通常のパーソナルコンピュータであってもよい。また、第１情報処理装置側及び第２情報処理装置側のそれぞれにＮＩＣ（Network Interface Card）を２個ずつ設け、第１情報処理装置・第２情報処理装置間で双方向に全二重転送を行うこととしてもよい。
【発明の効果】
【００３３】
以上説明したように、本発明は、第１情報処理装置と第２情報処理装置からなる通信システムであって、隣り合うフレームの差分データが所定の閾値を下回るときにフレーム間引きを行うものであることから、参拝者は、世界中のどこにいても本部教会等の礼拝・授業に係る高画質視聴覚情報をスムーズに受信することができ、ひいては従来のような本部教会等との往復に要する時間的、費用的及び肉体的負担を解消することができるものである。
【発明を実施するための最良の形態】
【００３４】
以下、本発明を実施するための最良の形態について、図面に基づいて説明する。なお、以下では、本部教会で行われる礼拝・授業へ遠隔地から参加するために用いる礼拝用通信システムを通信システムの一例として説明する。
【００３５】
［礼拝用通信システムの構成］
図１は、本発明の実施の形態に係る礼拝用通信システムの概要を示すシステム構成図である。
【００３６】
図１において、本発明の実施の形態に係る礼拝用通信システムは、本部教会１に設置された様々なコンピュータと、単一又は複数の支部教会２に設置された様々なコンピュータと、両者の間に介在するインターネット３と、からなる。
【００３７】
本部教会１には、配信状態をコントロールするメディア通信機１１と、実際に映像・音声データを支部教会２に向けて配信する配信サーバ１２とが設けられ、両者はインターネット３と接続されたＬＡＮ１０を介して互いに通信可能となっている。メディア通信機１１、メディア通信機３１、及び配信サーバ１２は、プログラムに従ってデータの演算を行うＣＰＵ等の演算装置や、プログラムやデータの保存を行うメモリ等の記憶装置、人為的な指示をコンピュータに入力する入力装置、処理結果を外部に出力する出力装置などを備えており、これらの構成要素が有機的に連動して各種機能を発揮する。なお、図１では配信サーバ１２は１台しか設けられていないが、例えば５０台設けることで配信能力を向上させることも可能である。
【００３８】
メディア通信機１１には、音声出力インターフェースとしてスピーカ１３、映像出力インターフェースとしてプロジェクタ１４、モニタインターフェースとしてモニタ１５が接続されている。また、配信サーバ１２には、映像入力インターフェースとしての映像ミキサー１６を介してテロップ（作成装置）１７及びカメラ１８と、音声入力インターフェースとしての音声ミキサー１９を介してマイク２０と、モニタインターフェースとしてモニタ２１と、が接続されている。また、配信サーバ１２は、メディアコンバータ、エンコーダ、ストリーミングサーバとしての機能も有している。さらに、本部教会１の配信サーバ１２は、転送すべき音声データを視聴覚画面上の文字データに変換して支部協会２へ転送する機能や、転送すべき音声データ又は視聴覚画面上の文字データを他国語に通訳・翻訳して支部協会２へ転送する機能を有している。なお、配信サーバ１２は、請求項記載の第１情報処理装置の一例に相当する。
【００３９】
一方で、支部教会２には、参拝者に向けて本部教会１から転送された映像・音声データを再生するメディア通信機３１が設けられており、このメディア通信機３１には、マイク３２、スピーカ３３、プロジェクタ３４、カメラ・Ｗｅｂカメラ３５、モニタ３６などが接続されている。
【００４０】
ここで、メディア通信機３１は、自己の受信バッファの蓄積データのタイムスタンプによって転送データを復元する機能を有しており、適宜復元状況を本部教会１側へ送信する機能を有している。なお、メディア通信機３１は、請求項記載の第２情報処理装置の一例に相当する。
【００４１】
［礼拝用通信システムの動作］
次に、図１に示すシステム構成図に基づき、本発明の実施の形態に係る礼拝用通信システムの動作について説明する。
【００４２】
図２は、本発明の実施の形態に係る礼拝用通信システムの動作を示すフロー図である。
【００４３】
図２において、まず、本部教会１において、撮影処理が行われる（ステップＳ１）。より具体的には、牧師が入場する様子や参拝者が着席する様子などがカメラ１８によって撮影され、また、牧師の説教などの音声がマイク２０によって集音される。そして、カメラ１８及びマイク２０によって得られた映像・音声データは、映像ミキサー１６又は音声ミキサー１９に内蔵されたビデオキャプチャボードによって配信サーバ１２に転送・蓄積される。
【００４４】
次いで、配信用データ変換処理が行われる（ステップＳ２）。概略すると、映像データ及び音声データをＭＰＥＧ方式で圧縮し、映像データについてはフレームの一部を間引いて支部協会２に送信するデータ量を削減する処理を行う。詳細については図３を用いて説明する。
【００４５】
図３は、配信用データ変換処理についての説明図である。
【００４６】
図３において、ステップＳ１によって配信サーバ１２に転送・蓄積される映像データ（フレーム）のうち、５個のフレーム（便宜的に、各フレームの縦、横の長さをいずれも５とする）を用いて説明する。なお、これらのフレームは、すべて配信サーバ１２によってＭＰＥＧ圧縮された後のフレームである。また、ＭＰＥＧ圧縮については公知技術であるため、その説明を省略する。
【００４７】
図３に示す５個のフレームのそれぞれには、画面上を移動する１個の移動物体が存在する。最初の（一番左の）フレーム内の移動物体の位置は、ｘ＝１，ｙ＝１である。二番目の（左から二番目の）フレーム内の移動物体の位置は、ｘ＝２，ｙ＝５である。三番目の（左から三番目の）フレーム内の移動物体の位置は、ｘ＝３，ｙ＝４である。四番目の（右から二番目の）フレーム内の移動物体の位置は、ｘ＝４，ｙ＝１である。最後の（一番右の）フレーム内の移動物体の位置は、ｘ＝５，ｙ＝５である。
【００４８】
ここで、直前のフレームとの差分を計算すれば、二番目のフレームの差分量は、ｘ＝＋１，ｙ＝＋４であり、三番目のフレームの差分量は、ｘ＝＋１，ｙ＝−１であり、四番目のフレームの差分量は、ｘ＝＋１，ｙ＝−３であり、最後のフレームの差分量は、ｘ＝＋１，ｙ＝＋４である。所定の閾値をｘ＝２かつｙ＝２とすれば、三番目のフレームの差分量がこの所定の閾値を下回ることから、三番目のフレームはメディア通信機３１に送信されないこととなる。これにより、転送データの量を削減することが可能になる。
【００４９】
次いで、支部教会２から送信要求があった場合には、本部教会１の配信サーバ１２は、送信処理を行う（ステップＳ３）。より具体的には、ステップＳ２の配信用データ変換処理によって得られた配信用データを支部教会２のメディア通信機３１に向けて送信する。このとき、モニタ２１によって配信状況を確認しつつ、本部教会１においても礼拝・授業を行うため、配信用データをメディア通信機１１に向けて送信する。なお、ここでは支部教会２からの送信要求を契機として送信処理を行うこととしたが、既にサーバ・クライアント間でセッションが確立していれば、特にこの送信要求は必要ない。また、ステップＳ２における配信用データ変換処理の間引き手順についてもメディア通信機３１に送信する。
【００５０】
次いで、支部教会２において受信処理、バッファ蓄積処理が行われる（ステップＳ４、ステップＳ５）。より具体的には、支部教会２のメディア通信機３１は、本部教会１の配信サーバ１２からＬＡＮ１０、インターネット３を介して送られてきた映像・音声データ（ステップＳ２において配信用データ変換処理が施されたデータ）を受信し、これを一旦自己の受信バッファに蓄積する。
【００５１】
次いで、データ復元処理が行われる（ステップＳ６）。より具体的には、支部教会２のメディア通信機３１は、ステップＳ２の配信用データ変換処理における間引き手順に基づき、自己の受信バッファの蓄積データから配信サーバ１２によって間引かれた欠落フレームを補間し、転送データを復元する。このとき、受信バッファの蓄積データのタイムスタンプ及びステップＳ３によって送信された間引き手順を利用する。なお、補間方法としては、ニュートン補間、ラグランジュ補間、又はスプライン補間などが挙げられるが、本発明においては、これらの補間方法のいずれであってもよい。また、上述の転送データ復元処理は、メディア通信機３１内のＣＰＵやメモリから構成される転送データ復元手段によってなされる。
【００５２】
次いで、メディア通信機３１において、データ復元状況は適切か否かが判断され（ステップＳ７）、適切でないと判定した場合には、閾値変更要求を配信サーバ１２に対して行う。より具体的には、上述した転送データ復元手段は、メディア通信機３１の受信バッファにアクセスし、転送データの復元状況を確認し、転送データの復元状況が適切でないと判定した場合（例えば、インターネット３において通信トラフィックが増加し、再生に必要な映像・音声データが受信バッファに十分蓄積されず、次の映像・音声データが早急に必要であると判定した場合など）には、本部教会１の配信サーバ１２に対し、閾値変更要求を行う。
【００５３】
ステップＳ７の要求を受けた配信サーバ１２は、閾値変更処理を行う（ステップＳ８）。より具体的には、ステップＳ２の配信用データ変換処理で用いる閾値を変更することによって、支部教会２側へ送信されるデータ量を調整する。例えば、インターネット３において通信トラフィックが増加し、再生に必要な映像・音声データが受信バッファに十分蓄積されず、次の映像・音声データが早急に必要であると判定した場合には、メディア通信機３１の転送データ復元手段は、配信サーバ１２に対して閾値を上げるように要求し、これを受けた配信サーバ１２は、閾値を上げることで配信データの間引き量を増加させた上でステップＳ３の送信処理を行う。また、インターネット３における通信トラフィックが通常状態に戻った場合には、メディア通信機３１の転送データ復元手段は、配信サーバ１２に対して閾値を下げるように要求し、これを受けた配信サーバ１２は、閾値を下げることで配信データの間引き量を減少させた上で再度ステップＳ３の送信処理を行う。このように、復元状況の監視と間引き指示を適宜行うことにより、インターネット３上の通信トラフィックを考慮した最適なデータ転送を行うことができる。
【００５４】
一方で、ステップＳ７において、データ復元状況が適切であると判定された場合には、再生処理が行われる（ステップＳ９）。すなわち、支部教会２において映像・音声データが再生され、本部教会１から遠く離れた地にある支部教会２においても、礼拝・授業に参加することができるようになる。
【００５５】
なお、ステップＳ２又はステップＳ３において、配信サーバ１２のＣＰＵやメモリ等から構成される音声データ変換転送手段は、転送すべき音声データを視聴覚画面上の文字データに変換して転送することとしてもよい。これにより、参拝者が聴覚障害者であっても、礼拝・授業に気軽に参加することができる。
【００５６】
また、ステップＳ２又はステップＳ３において、配信サーバ１２の音声データ変換転送手段は、転送すべき音声データ又は視聴覚画面上の文字データを他国語に通訳・翻訳して転送することとしてもよい。これにより、本部教会のある国と言語の異なる地域に居る人であっても、礼拝・授業に気軽に参加することができる。
【００５７】
さらに、ステップＳ９の再生処理が行われている最中に、メディア通信機３１は、自己に蓄積された映像・音声データ（例えば支部教会２の参拝者の質問など）をストリーミング送信することもできる。これにより、本部教会１と支部教会２との間で双方向コミュニケーションを図ることが可能になる。
【産業上の利用可能性】
【００５８】
本発明に係る通信システムは、第１情報処理装置と第２情報処理装置との間で映像・音声データをやりとりし、更に、両者の間の通信トラフィックを減少させることができるので、本部教会から遠く離れた地に居る人であっても、本部教会とリアルタイムでスムーズに行われる礼拝・授業に、気軽に参加することができるものして有用である。
【図面の簡単な説明】
【００５９】
【図１】本発明の実施の形態に係る礼拝用通信システムの概要を示すシステム構成図である。
【図２】本発明の実施の形態に係る礼拝用通信システムの動作を示すフロー図である。
【図３】配信用データ変換処理についての説明図である。
【符号の説明】
【００６０】
１  本部教会
２  支部教会
３  インターネット
１１，３１  メディア通信機
１２  配信サーバ
【図１】
2005269302.tif 000003
【図２】
2005269302.tif 000004
【図３】
2005269302.tif 000005